(57)【要約】【課題】  放送状態推定精度を保ち、且つ、消費電力の小さい、チャンネル切り替えの際に放送を中止しているチャンネルを表示させないテレビ受信装置及びテレビ受信装置におけるチャンネル・プリセット方法を提供することができる。【解決手段】  ステップＳ１１０で、放送時刻表を新規に作成する。この放送時刻表において、放送されているチャンネルが時間毎に変化する場合は、ステップＳ１５０に進む。ステップＳ１５０では、放送状態が変化した時刻で、各チャンネルについて、その放送状態を判断し、一時的に記憶する。ステップＳ１６０では、放送時刻表にて記憶されている内容と、ステップＳ１５０において判断した放送状態を比較し、同一であるかを確認する。同一であった場合は、ステップＳ１５０に進み、そうでない場合は、放送時刻表を更新する。【選択図】  図２
2007088688.tif 000002
【特許請求の範囲】
【請求項１】
指定されたチャンネルの信号を選択受信するチューナと、
選択受信された信号を復調する復調部と、
前記チューナと前記復調部とを制御する制御部と、
入力されたチャンネル切り替え操作を制御信号に変換し、この制御信号を制御部に対して送信する操作部と
を備えたテレビ受信装置であって、
前記制御部は、
予め定められた時刻に、前記復調部の出力信号を用いて、指定されたチャンネルが放送中であるか否かを判断する判断手段と、放送中であるか否かを判断した結果を記憶する記憶手段とを備え、
各チャンネルについて、現在の時刻は放送中である旨が前記記憶手段に記憶されている場合は、そのチャンネルを表示可能とし、放送中ではない旨が前記記憶手段に記憶されている場合は、そのチャンネルを表示不可とし、前記判断手段による判断及び記憶手段による記憶は、放送中ではない時間帯又はその近辺で行われることを特徴とするテレビ受信装置。
【請求項２】
指定されたチャンネルの信号を選択受信するチューナと、
選択受信された信号を復調する復調部と、
前記チューナと前記復調部とを制御する制御部と、
入力されたチャンネル切り替え操作を制御信号に変換し、この制御信号を制御部に対して送信する操作部と
を備えたテレビ受信装置におけるチャンネル・プリセット方法であって、
前記制御部が、予め定められた時刻に、前記復調部の出力信号を用いて、指定されたチャンネルが放送中であるか否かを判断する第１のステップと、
前記制御部が、放送中であるか否かを判断した結果を記憶する第２のステップと
を備え、
前記制御部は、各チャンネルについて、上記第２のステップで記憶された結果が、現在の時刻は放送中である場合は、そのチャンネルを表示可能とし、放送中ではない場合は、そのチャンネルを表示不可とし、
前記第１のステップ及び前記第２のステップは、放送中ではない時間帯又はその近辺で行われることを特徴とするテレビ受信装置におけるチャンネル・プリセット方法。
【発明の詳細な説明】
【技術分野】
【０００１】
本発明は、テレビ受信装置及びテレビ受信装置におけるチャンネル・プリセット方法に関するものである。
【背景技術】
【０００２】
近年、テレビ放送においては、多チャンネル化が進み、チャンネル番号が記載されてある数字キー（通常、リモコンに１２個から１５個程度備わっている）による直接チャンネル指定が難しくなってきており、「アップ・キー」及び「ダウン・キー」を用いたチャンネルの切り替えを行う頻度が高まってきている。
【０００３】
所で、テレビ放送においては、全てのチャンネルが、終日、放送を行っているという訳ではなく、多くのチャンネルにおいては、放送を休止している時間帯（例えば、深夜や早朝等）がある。しかし、通常、受信可能なチャンネルの検索・記憶（プリセット）が購入時に一度行われ、それ以降は、このプリセットされた全チャンネルが、アップ・キー及びダウン・キーによって順に選択され、表示されるというように使用されてきた。このため、放送を休止しているチャンネルであっても選択・表示されるため、チャンネル切り替えの際、使い勝手が悪いという問題があった。
【０００４】
この解決方法として、特許文献１に記載の技術を用いる方法がある。即ち、所定の時間間隔で、チャンネルを検索し、受信可能と判断されたチャンネルをメモリに記憶するというものである。この技術を使用すると、「アップ・キー」及び「ダウン・キー」を用いたチャンネル切り替えの際に、放送を休止しているチャンネルを除外することができる。
【０００５】
【特許文献１】特開２０００−３３２６３３号公報
【発明の開示】
【発明が解決しようとする課題】
【０００６】
しかし、多くのチャンネルにおいては、深夜から早朝にかけて、放送を休止している。従って、特許文献１に記載の技術のように、所定の時間間隔でチャンネル検索を行うと、例えば、昼間のように、多くのチャンネルが放送を行っている時間帯においてもチャンネル検索を行うことになり、無駄な電力を消費することになる。また、消費される電力を低下させるために、チャンネル検索を行う時間間隔を長くすると、放送中のチャンネルが除外されていたり、放送を休止しているチャンネルが除外されていなかったりといった事が起こり易くなる。即ち、放送中であるか否かの放送状態を推定する精度が低下する。
【０００７】
このため、放送状態推定精度を保ち、且つ、検索回数を減少させ、消費される電力を低減させる技術が期待されていた。
【０００８】
本発明は、上述の問題点に鑑みてなされたものであり、放送状態推定精度を保ち、且つ、検索回数を減少させ、消費される電力を低減させる、チャンネル切り替えの際に放送を中止しているチャンネルを表示させないテレビ受信装置及びテレビ受信装置におけるチャンネル・プリセット方法を提供することを目的とする。
【課題を解決するための手段】
【０００９】
請求項１に記載のテレビ受信装置は、指定されたチャンネルの信号を選択受信するチューナと、選択受信された信号を復調する復調部と、前記チューナと前記復調部とを制御する制御部と、入力されたチャンネル切り替え操作を制御信号に変換し、この制御信号を制御部に対して送信する操作部とを備えたテレビ受信装置であって、前記制御部は、予め定められた時刻に、前記復調部の出力信号を用いて、指定されたチャンネルが放送中であるか否かを判断する判断手段と、放送中であるか否かを判断した結果を記憶する記憶手段とを備え、各チャンネルについて、現在の時刻は放送中である旨が前記記憶手段に記憶されている場合は、そのチャンネルを表示可能とし、放送中ではない旨が前記記憶手段に記憶されている場合は、そのチャンネルを表示不可とし、前記判断手段による判断及び記憶手段による記憶は、放送中ではない時間帯又はその近辺で行われることを特徴とする。
【００１０】
請求項１に記載のテレビ受信装置によれば、放送状態（放送中か否かを表す状態）が変化する時間帯付近でチャンネル検索を行い、放送状態が変化しない時間帯付近ではチャンネル検索を行わないため、放送状態推定精度を保ち、且つ、検索回数を減少させ、消費される電力を低減させる、チャンネル切り替えの際に放送を中止しているチャンネルを表示させないテレビ受信装置を提供することができる。
【００１１】
請求項２に記載のテレビ受信装置におけるチャンネル・プリセット方法は、指定されたチャンネルの信号を選択受信するチューナと、選択受信された信号を復調する復調部と、前記チューナと前記復調部とを制御する制御部と、入力されたチャンネル切り替え操作を制御信号に変換し、この制御信号を制御部に対して送信する操作部とを備えたテレビ受信装置におけるチャンネル・プリセット方法であって、前記制御部が、予め定められた時刻に、前記復調部の出力信号を用いて、指定されたチャンネルが放送中であるか否かを判断する第１のステップと、前記制御部が、放送中であるか否かを判断した結果を記憶する第２のステップとを備え、前記制御部は、各チャンネルについて、上記第２のステップで記憶された結果が、現在の時刻は放送中である場合は、そのチャンネルを表示可能とし、放送中ではない場合は、そのチャンネルを表示不可とし、前記第１のステップ及び前記第２のステップは、放送中ではない時間帯又はその近辺で行われることを特徴とする。
【００１２】
請求項２に記載のテレビ受信装置におけるチャンネル・プリセット方法によれば、放送状態（放送中か否かを表す状態）が変化する時間帯付近でチャンネル検索を行い、放送状態が変化しない時間帯付近ではチャンネル検索を行わないため、放送状態推定精度を保ち、且つ、検索回数を減少させ、消費される電力を低減させる、チャンネル切り替えの際に放送を中止しているチャンネルを表示させないテレビ受信装置におけるチャンネル・プリセット方法を提供することができる。
【発明の効果】
【００１３】
本発明によれば、各チャンネルの放送状態を確認する時刻を最適化することで、放送状態推定精度を保ち、且つ、検索回数を減少させ、消費される電力を低減させる、チャンネル切り替えの際に放送を中止しているチャンネルを表示させないテレビ受信装置におけるチャンネル・プリセット方法を提供すことができる。
【発明を実施するための最良の形態】
【００１４】
本発明の実施の形態を、図面を参照して説明する。なお、以下の実施例は本発明の具体例の１つに過ぎず、本発明が以下の実施形態に限定されるものではない。
【００１５】
図１は、本実施例におけるテレビ受信装置の構成を示すブロック図である。このテレビ受信装置１０は、指定されたチャンネルの信号を選択受信するチューナ１１、選択受信された信号を復調する復調部１２、映像信号に対してＯＳＤ（Ｏｎ  Ｓｃｒｅｅｎ  Ｄｉｓｐｌａｙ）処理を行うＯＳＤ処理部１３、音声信号を出力するスピーカ１４、映像信号を表示する表示部１５、チューナ１１と復調部１２とＯＳＤ処理部１３とスピーカ１４と表示部１５を制御する制御部１６、入力されたチャンネル切り替え操作を制御信号に変換し、この制御信号を制御部に対して送信する操作部１７を備える。
【００１６】
チューナ１１は、アンテナ２１から入力された信号から、指定されたチャンネルの信号を選択受信する。復調部１２は、選択受信された信号を復調し、音声信号と映像信号を出力する。スピーカ１４は、音声信号を音に変換し、出力する。ＯＳＤ処理部１３は、映像信号にＯＳＤ処理を行う（ＯＳＤ表示を行わない場合は、ＯＳＤ処理は行わず、そのまま通過させる）。表示部１５は、ＯＳＤ処理部１３を通った映像信号を映像として表示する。制御部１６は、チューナ１１、復調部１２、ＯＳＤ処理部１３、スピーカ１４、表示部１５を制御する。操作部１７は、入力されたチャンネル切り替え操作を制御信号に変換し、この制御信号を制御部に対して送信する。
【００１７】
図３は、１時間毎に、各チャンネルの放送状態を記憶したもの（ここでは、放送時刻表と呼ぶ）であり、制御部１６において記憶される。列方向の数字３１は、チャンネル番号を表す（チャンネル番号は、説明の便宜上、１から１２までとしたものであり、本件発明はこれに限定されるものではない）。行方向の数字３２は、時刻を表す（図３では、２４行あるため、ちょうど１日分になる）。ここで、時刻は、絶対的な時刻である必要はなく、例えば、購入後、最初に電源を入れた時刻や、最初にチャンネル設定を行った時刻を、０時としてリセットしても良い（即ち、午前８時に最初に電源を入れ、これを放送時刻表における０時とした場合、例えば、放送時刻表の１９時は、実際の時刻の午前３時に対応する）。チャンネル番号３１と時刻３２を除いた数字３３は、放送の状態を表す。具体的には、「１」は放送中の状態であり、「０」は放送を中止している状態である。従って、チャンネ番号が１のチャンネルは、１９時に放送状態を確認した際に放送が中止されており、それ以外は放送中であったということになる。また、２４時間放送されているチャンネルの場合は、チャンネル番号が２のチャンネルのようになり、もともと放送されていないチャンネルの場合は、チャンネル番号が１１のチャンネルのようになる。
【００１８】
このように構成されたテレビ受信装置におけるチャンネル・プリセット方法について、図２に示したフローチャートを用いて説明する。
【００１９】
購入後、最初にテレビ受信装置１０の電源を投入すると、制御部１６は、このフローチャートを開始する。以下、このフローチャートは、全て、制御部１６主導で行われる（即ち、条件分岐や次のステップへ進む動作や各処理は、全て、制御部１６において行われる）。先ず、ステップＳ１１０では、制御部１６が、図３に示す放送時刻表を作成する。具体的には、制御部１６が、１時間毎に、全チャンネルの放送状態を判断し、その判断結果を制御部１６に設けられた記憶手段に記憶していく。放送状態の判断については、そのチャンネルの映像信号内の垂直同期信号の数又は水平同期信号の数をカウントし、この値が閾値よりも大きい場合は放送中の状態であると判断し、そうでない場合は放送は中止している状態であると判断する。この処理に、１日を要する。この処理が終了したら、ステップＳ１２０に進む。
【００２０】
ステップＳ１２０では、制御部１６は、各チャンネルについて、２４時間同一の放送状態であるか（即ち、放送時刻表の各列において、２４個の放送状態が全て等しいか）を確認する。これは、各チャンネルが、２４時間放送されている状態であるか又はもともと全く放送されていない状態であるかを確認するものである。この結果、各チャンネルが、２４時間同一の放送状態であった場合は、ステップＳ１３０に進み、そうでない場合は、ステップＳ１５０に進む。
【００２１】
ステップＳ１３０では、制御部１６は、１２時間毎に２回、各チャンネルについて、その放送状態を実際に判断し、一時的に記憶する。この判断処理に、１日を要する。この処理が終了したら、ステップＳ１４０に進む。ステップＳ１４０では、制御部１６は、放送時刻表にて記憶されている内容と、ステップＳ１３０において判断した放送状態を比較し、同一であるかを確認する。同一であった場合は、ステップＳ１３０に進み、そうでない場合は、ステップＳ１７０に進む。
【００２２】
ステップＳ１５０では、制御部１６が、放送時刻表において、放送状態が変化した時刻（図３においては、１８時、１９時、２０時、２１時が該当する）の行で、各チャンネルについて、その放送状態を判断し、一時的に記憶する。この判断処理に１日を要する。この処理が終了したら、ステップＳ１６０に進む。ステップＳ１６０では、制御部１６は、放送時刻表にて記憶されている内容と、ステップＳ１５０において判断した放送状態を比較し、同一であるかを確認する。同一であった場合は、ステップＳ１５０に進み、そうでない場合は、ステップＳ１７０に進む。
【００２３】
ステップＳ１７０では、制御部１６は、放送時刻表を更新する。具体的には、制御部１６は、１時間毎に、全チャンネルの放送状態を判断し、その判断結果を記憶していく。この処理に、１日を要する。この処理が終了したら、ステップＳ１２０に進む。
【００２４】
使用者が「アップ・キー」や「ダウン・キー」を用いてチャンネルを切り替える際、制御部１６は、その時点における放送時刻表において、その時刻に対応する行のチャンネルの放送状態が、「１」になっているチャンネルは表示し、「０」になっているチャンネルは表示しないように、制御する。
【００２５】
このようにして、判断処理を行う時刻を、放送状態が変化する時間帯に絞ることができる。即ち、多くのチャンネルが放送を中止している深夜から早朝にかけて判断処理を行い、多くのチャンネルが放送を行っている昼間には判断処理を行わせないことができるため、放送状態推定精度を保ち、且つ、検索回数を減少させ、消費される電力を低減させることができる。
【００２６】
以上述べたように、本発明では、各チャンネルの放送状態を確認する時刻を最適化することで、放送状態推定精度を保ち、且つ、検索回数を減少させ、消費される電力を低減させる、チャンネル切り替えの際に放送を中止しているチャンネルを表示させないテレビ受信装置におけるチャンネル・プリセット方法を提供すことができる。
【００２７】
なお、上述の実施例は、１時間毎に、放送状態を記憶するものであったが、この時間間隔は、１時間に限定されず、例えば、３０分であっても良い。また、放送時刻表は、１日分の放送状態を記憶するものであったが、これより長い期間（例えば、１週間）にしても良い。更に、放送状態の判断は、垂直同期信号や水平同期信号の数をカウントするものであったが、放送波と一緒に送信されてくる番組情報（電子番組表）を使用しても良い。
【図面の簡単な説明】
【００２８】
【図１】実施例のテレビ受信装置の構成を示す図である。
【図２】実施例の処理の流れを示すフローチャートである。
【図３】放送時刻表を示す説明図である。
【符号の説明】
【００２９】
１０  テレビ受信装置
１６  制御部
３１  チャンネル番号
３２  時刻
３３  放送状態
【図１】
2007088688.tif 000003
【図２】
2007088688.tif 000004
【図３】
2007088688.tif 000005